(57)【要約】      （修正有）【課題】指輪に設けられた装飾物を拡大してみることができるとともに、可動フレームを開くことにより、拡大ルーペとしての機能も備えた装飾指輪を提供する。【解決手段】指輪本体２と、該指輪本体２上に設けられ上部が開口部となった台座ケース３と、該台座ケース内に設けられた宝石、写真、キャラクタフィギュア等の装飾物と、前記開口部を開閉手段を介して覆う可動フレーム４と、該可動フレーム４に設けられたレンズ５と、前記可動フレーム４を閉じた状態で係止する係止機構とにより構成される。【選択図】図１
0003154119.tif 000002
【実用新案登録請求の範囲】
【請求項１】
指輪本体と、該指輪本体上に設けられ上部が開口部となった台座ケースと、該台座ケース内に設けられた宝石、写真、キャラクタフィギュア等の装飾物と、前記開口部を開閉手段を介して覆う可動フレームと、該可動フレームに設けられたレンズと、前記可動フレームを閉じた状態で係止する係止機構とよりなり、前記レンズは前記可動フレームが前記開口部を覆った状態で前記台座ケース内の前記装飾物を拡大して視認されるものであり、前記開口フレームを開いた状態では装着した指と隣接した指間に配置され新聞や雑誌などの認識対象物を拡大して視認できるものであることを特徴とする装飾指輪。
【請求項２】
前記装飾物は装飾取付部材に設けられたものであり、該装飾取付部材は着脱機構を介して前記台座ケースに固定されるものであり、他の装飾取付部材と交換可能となったものであることを特徴とする請求項１記載の装飾指輪。
【考案の詳細な説明】
【技術分野】
【０００１】  本考案は、指輪に設けられた装飾物を拡大してみることができるとともに、可動フレームを開くことにより、拡大ルーペとしての機能も備えた装飾指輪に関するものである。
【背景技術】
【０００２】  従来、小さな文字を読むときはルーペを利用していた。
指輪にレンズが付いたものとして、台座に収納されたレンズが側面に飛び出してくるものがあった。
【特許文献１】  特開２００６−３０５２７５
【特許文献２】  実開昭６３−７７５１４
【考案の開示】
【考案が解決しようとする課題】
【０００３】  そのために、次のような問題があった。
単独のルーペを使用するには、常に持ち歩く必要性があった。また、ルーペを持つという動作が、他者に対してルーペ使用を気づかせ、老眼初期の人にとっては気づかれるのが精神的苦痛になり、使用事態を自粛し、文字が読みにくいという問題があった。
特許文献１及び特許文献２においては、さりげない動作で使用するため気づかれにくいが、装飾物の利用に限度があり、装飾体としての指輪の価値が限定されてしまうという問題があった。
本考案は以上の欠点を解決するものである。
【課題を解決するための手段】
【０００４】  指輪本体と、該指輪本体上に設けられ上部が開口部となった台座ケースと、該台座ケース内に設けられた宝石、写真、キャラクタフィギュア等の装飾物と、前記開口部を開閉手段を介して覆う可動フレームと、該可動フレームに設けられたレンズと、前記可動フレームを閉じた状態で係止する係止機構とよりなり、前記レンズは前記可動フレームが前記開口部を覆った状態で前記台座ケース内の前記装飾物を拡大して視認されるものであり、前記開口フレームを開いた状態では装着した指と隣接した指間に配置され新聞や雑誌などの認識対象物を拡大して視認できるものであることを特徴とする。【０００５】  前記装飾物は装飾取付部材に設けられたものであり、該装飾取付部材は着脱機構を介して前記台座ケースに固定されるものであり、他の装飾取付部材と交換可能となったものであることを特徴とする。
【考案の効果】
【０００６】  本考案を使用することで、従来の指輪同様に宝石などの装飾効果を得られると共にルーペとしての機能も備えることができる。
通常時においては、装飾体を拡大して視認できるため、小さな装飾物であっても、その大きさ以上の視認効果を得ることができる。【０００７】  また、着脱機構を介して装飾物を交換できることにより、一つの指輪で複数の装飾物を利用できるので、低コストで多様な装飾効果を得られるようになった。
【考案を実施するための最良の形態】
【０００８】  以下、本考案の第一実施の形態について図１から図１１を用いて説明する。
図１は本考案の斜視図、図２は本考案の平面図、図３は本考案の正面図、図４は本考案の分解斜視図、図５は本考案のＡ−Ａ断面図、図６は本考案の開閉フレーム説明図、図７は本考案の開閉フレーム説明図、図８は本考案の要部斜視図、図９は本考案の要部左側面図、図１０は本考案の要部使用説明図、図１１は本考案の使用説明図である。
本考案は任意の指に装着できる形状の指輪本体２に装飾性を有するとともにルーペとしての機能を得られる付加機構部１５を設けたものである。指輪本体２と付加機構部１５は溶接や接着などの通常もちいられる任意の接続方法により取り付けられている装飾指輪１である。
付加機構部１５は、図４に示すように台座ケース３と、該台座ケースに軸着された可動フレーム４と、該可動フレーム４の開口部に設けられたレンズ５と、前記台座ケース３の開口部を覆った状態で係止する係止手段と、宝石２１や写真、キャラクタ人形などの任意の装飾物を取り付ける装飾取付部材２０と、該装飾取付部材２０を前記台座ケース３に固定する固定フレーム２５とより構成される。
指輪本体２及び台座ケース３は金、銀等の金属やプラスチックを素材としている。
以下、本考案の機構及び作用効果を説明するにあたり、図面及び本説明においては指輪本体２は割愛し付加機構部１５を中心に説明する。
図において台座ケース３は方形で上面が開口したケース構造となっている。台座ケース３の上部は平面図及び正面図に基づいて説明すると、図４に示すように前側辺及び後側辺が平行に突出したガイドフレーム６となっている。ガイドフレームの内側左右にはそれぞれ対向する位置に軸受け１１としての孔と、蓋係止受け１２としての凹みが設けられている。
また、前記台座ケース３の収納部は後述する可動フレーム６を支える段溝１０が形成されている。
可動フレーム４は、中央が方形に開口したフレーム構造となっており、２つのガイドフレーム６間にあわせた前後幅および台座ケース３の左右幅に合わせた大きさとなっている。肉厚は段溝１０とガイドフレーム６上面間に近似したサイズとなっている。
可動フレーム４の前後側面には前記ガイドフレームの内側左右には構成された軸受け１１と蓋係止受け１２の形状にあわせた軸７と蓋係止突起８がそれぞれ一対設けられている。可動フレーム４の軸側側面は半円柱状となっている。蓋係止突起側面には、図６及び図７に示すような切欠き部９が設けられている。
可動フレーム４は軸７と台座ケース３の軸受け１１により回動可能に接続されている。また、蓋係止突起８と可動フレーム４の蓋係止受け１２により、可動フレーム４が台座ケース３の開口部を覆った状態で係止するようになっている。
可動フレーム４は上記係止手段による係止をするが、係止位置としては可動フレーム４が段溝１０に支えられる位置であることが望ましい。また、可動フレーム４の軸側は半円柱状となっているが、図１０に示すように開いた状態で軸側段溝１０により支えられ水平に近い角度でとまるようになっている。
装飾取付部材２０は、台座ケース３収納部の底面にあわせた形状の方形板状となっている。装飾取付部材２０には、接着剤により宝石２１が複数固定されている。尚、この固定手段においては接着以外に溶着、狭持、針などを立てて突き刺し固定するなど、従来利用される固定手段であればよい。また、写真などを利用するときには側面から写真を差し替えできるような額構造とすることも可能である。
固定フレーム２５は台座ケース３収納部の内側側面に沿って配置される方形筒状となっている。４つの側面にはそれぞれ半球状の固定用係止突起２６が設けられており、台座ケース３内底面に前記装飾取付部材２０を配置し固定フレーム２５下面で押さえこんだ状態で台座ケース３収納部内面に設けられた固定用係止受け１３に嵌合し固定されるようになっている。
本考案は以上の構成よりなる。【０００９】  本考案の使用方法について以下説明する。
本考案を使用するときは、任意の装飾物を施した装飾取付部材２０を配置し固定フレーム２５で押さえ込む。この際、固定フレーム２５の固定用係止突起２６と台座ケース３の固定用係止受け１３が嵌合し固定される。
装飾取付部材２０、固定フレーム２５を装着したうえで可動フレーム４を閉める。この際、可動フレーム４の側面に設けられた蓋係止突起８と可動フレーム４の蓋係止受け１２により、可動フレーム４が台座ケース３の開口部を覆った状態で係止する。
通常時においては、この状態で指輪本体２を指に装着して使用する。この際、可動フレーム４に設けられたレンズ５により台座ケース３内の装飾物が通常よりも大きく視認することができる。これにより、小さな装飾物であっても、実寸よりも大きく見えるという効果を得ることができる。
また、新聞や雑誌の小さな文字をみるときには、図９に示すように切欠き部９の凹みに指先を入れて持ち上げることで蓋固定用の係止がはずれ１８０度軸動することができる。開いた状態では軸側の段溝１０により可動フレーム４が支えられ水平状態で固定される。そして、図１１に示すように指輪を装着していた指と隣接する指の間にレンズ５が配置され、下の文字を読み取ることができる。
また、装飾取付部材２０を交換することで、異なる装飾物を一つの装飾指輪で楽しむことができる。
装飾取付部材２０への装飾物固定手段は前述したように様々な手法が考えられ、一つの装飾取付部材２０で複数の異なる装飾物を利用することもできる。
【図面の簡単な説明】
【００１０】
【図１】  本考案の斜視図
【図２】  本考案の平面図
【図３】  本考案の正面図
【図４】  本考案の分解斜視図
【図５】  本考案のＡ−Ａ断面図
【図６】  本考案の開閉フレーム説明図
【図７】  本考案の開閉フレーム説明図
【図８】  本考案の要部斜視図
【図９】  本考案の要部左側面図
【図１０】  本考案の要部使用説明図
【図１１】  本考案の使用説明図
【符号の説明】
【００１１】１  装飾指輪、
２  指輪本体、
３  台座ケース、
４  可動フレーム、
５  レンズ、
６  ガイドフレーム、
７  軸、
８  蓋係止突起、
９  切欠き部、
１０  段溝、
１１  軸受け、
１２  蓋係止受け、
１３  固定用係止受け、
１５  付加機構部、
２０  装飾取付部材、
２１  宝石、
２２  接続部、
２５  固定フレーム、
２６  固定用係止突起
【図１】
0003154119.tif 000003
【図２】
0003154119.tif 000004
【図３】
0003154119.tif 000005
【図４】
0003154119.tif 000006
【図５】
0003154119.tif 000007
【図６】
0003154119.tif 000008
【図７】
0003154119.tif 000009
【図８】
0003154119.tif 000010
【図９】
0003154119.tif 000011
【図１０】
0003154119.tif 000012
【図１１】
0003154119.tif 000013